(57)【要約】【課題】スイッチングコンバータの周波数変動を抑制する。【解決手段】昇圧コンバータ４１０は、ＡＤＪ端子を有し、電源電圧ＶＢＡＴを昇圧してＡＤＪ端子の電圧ＶＡＤＪに応じた目標電圧に安定化された直流電圧ＶＤＣを生成する。降圧コンバータ４３０は、直流電圧ＶＤＣを受け駆動電流ＩＬＡＭＰを光源３１０に供給する。ヒステリシス制御方式のヒステリシスコントローラを含み、ヒステリシスコントローラは、駆動電流ＩＬＡＭＰを、目標電流の近傍に規定されるピーク値およびボトム値の間に安定化させ、かつ降圧コンバータ４３０のスイッチング周波数が一定値に近づくように、ピーク値とボトム値の差を変化させる。電圧調節回路４６０は、昇圧コンバータ４１０のＡＤＪ端子の電圧ＶＡＤＪを、降圧コンバータ４３０の出力電圧ＶＯＵＴに応じて動的に変化させる。【選択図】図４
2018032553.tif 000002
【特許請求の範囲】
【請求項１】
直列に接続される複数の発光素子を含む光源を駆動する点灯回路であって、
複数のバイパススイッチを含み、各バイパススイッチは、前記複数の発光素子の対応するひとつと並列に接続されているバイパススイッチ回路と、
電源電圧を昇圧して可変の目標電圧に安定化された直流電圧を生成する昇圧コンバータと、
前記直流電圧を受け、目標電流に安定化された駆動電流を前記光源に供給する降圧コンバータであり、ヒステリシス制御方式のヒステリシスコントローラを含み、前記ヒステリシスコントローラは、前記駆動電流を、前記目標電流の近傍に規定されるピーク値およびボトム値の間に安定化させ、かつ前記降圧コンバータのスイッチング周波数が一定値に近づくように、前記ピーク値と前記ボトム値の差を変化させる、降圧コンバータと、
前記昇圧コンバータの目標電圧を、前記降圧コンバータの出力電圧に応じて動的に変化させる電圧調節回路と、
を備えることを特徴とする点灯回路。
【請求項２】
前記電圧調節回路は、前記昇圧コンバータの前記目標電圧と前記降圧コンバータの出力電圧の差分が所定値を超えないように、または所定値に近づくように、前記目標電圧を変化させることを特徴とする請求項１に記載の点灯回路。
【請求項３】
前記電圧調節回路は、前記降圧コンバータの出力電圧の上昇時に下降時よりも速く前記目標電圧を変化させることを特徴とする請求項１または２に記載の点灯回路。
【請求項４】
前記降圧コンバータの出力電圧の上昇時に、前記目標電圧は、前記バイパススイッチ回路の制御周期より短い時間で変化することを特徴とする請求項１から３のいずれかに記載の点灯回路。
【請求項５】
前記降圧コンバータの出力電圧の下降時に、前記目標電圧は、前記バイパススイッチ回路の制御周期より長い時間で変化することを特徴とする請求項１から４のいずれかに記載の点灯回路。
【請求項６】
前記降圧コンバータの出力電圧の下降時に、前記目標電圧は、前記バイパススイッチ回路の制御周期の３倍より長い時間で変化することを特徴とする請求項５に記載の点灯回路。
【請求項７】
前記電圧調節回路は、前記降圧コンバータの出力電圧に応じた出力検出電圧を受けるピークホールド回路を含み、前記目標電圧は、前記ピークホールド回路の出力電圧に応じていることを特徴とする請求項１から６のいずれかに記載の点灯回路。
【請求項８】
前記電圧調節回路は、
前記降圧コンバータの出力電圧に応じた出力検出電圧をアノードに受けるダイオードと、
前記ダイオードのカソードと接地の間に設けられた第１抵抗と、
一端が接地されたキャパシタと、
前記キャパシタの他端と前記ダイオードのカソードの間に設けられた第２抵抗と、
を含み、前記キャパシタの電圧に応じて前記目標電圧が設定されることを特徴とする請求項１から７のいずれかに記載の点灯回路。
【請求項９】
前記電圧調節回路は、
前記降圧コンバータの出力電圧に応じた出力検出電圧をデジタル値に変換するＤ／Ａコンバータと、
前記デジタル値のピークを示すピーク検出信号を生成するピーク検出回路と、
前記ピーク検出信号を受け、上昇方向に速く、下降方向に遅い応答性を有するフィルタと、
前記フィルタの出力信号をアナログ電圧に変換するＤ／Ａコンバータと、
を含み、前記アナログ電圧に応じて前記目標電圧が設定されることを特徴とする請求項１から７のいずれかに記載の点灯回路。
【請求項１０】
所望の配光パターンに応じて前記複数のバイパススイッチを制御する配光コントローラをさらに備え、
前記電圧調節回路は、前記複数のバイパススイッチのオン、オフ状態から推定される前記光源の両端間電圧にもとづいて、前記目標電圧を制御することを特徴とする請求項１から６のいずれかに記載の点灯回路。
【請求項１１】
前記点灯回路は、複数の前記光源を駆動するものであり、前記複数の光源に対応する複数の降圧コンバータを備え、
前記電圧調節回路は、前記複数の降圧コンバータの出力電圧のうち最も高い電圧に応じて前記目標電圧を変化させることを特徴とする請求項１から１０のいずれかに記載の点灯回路。
【請求項１２】
直列に接続される複数の発光素子を含む光源と、
前記光源を駆動する請求項１から１１のいずれかに記載の点灯回路と、
を備えることを特徴とする車両用灯具。
【発明の詳細な説明】
【技術分野】
【０００１】
本発明は、自動車などに用いられる灯具に関する。
【背景技術】
【０００２】
車両用灯具は、一般にロービームとハイビームとを切りかえることが可能である。ロービームは、近方を所定の照度で照明するものであって、対向車や先行車にグレアを与えないよう配光規定が定められており、主に市街地を走行する場合に用いられる。一方、ハイビームは、前方の広範囲および遠方を比較的高い照度で照明するものであり、主に対向車や先行車が少ない道路を高速走行する場合に用いられる。したがって、ハイビームはロービームと比較してより運転者による視認性に優れているが、車両前方に存在する車両の運転者や歩行者にグレアを与えてしまうという問題がある。
【０００３】
近年、車両の周囲の状態にもとづいて、ハイビームの配光パターンを動的、適応的に制御するＡＤＢ（Adaptive Driving Beam）技術が提案されている。ＡＤＢ技術は、車両の前方の先行車、対向車や歩行者の有無を検出し、車両あるいは歩行者に対応する領域を減光するなどして、車両あるいは歩行者に与えるグレアを低減するものである。
【０００４】
ＡＤＢ機能を有する車両用灯具について説明する。図１（ａ）、（ｂ）は、比較技術に係るＡＤＢ機能を有する車両用灯具のブロック図である。なおこの比較技術を公知技術として認定してはならない。
【０００５】
図１（ａ）を参照する。車両用灯具１Ｒは、光源２および点灯回路２０Ｒを備える。ＡＤＢにおいては、ハイビーム照射領域は、複数Ｎ個（Ｎは２以上の自然数）のサブ領域に分割される。光源２は、Ｎ個のサブ領域に対応づけられる複数の発光素子３＿１〜３＿Ｎを含む。各発光素子３は、ＬＥＤ（発光ダイオード）やＬＤ（レーザダイオード）などの半導体デバイスであり、それぞれが対応するサブ領域を照射するよう配置される。
【０００６】
点灯回路２０Ｒは、バッテリ４からの電源電圧ＶＢＡＴを受け、複数の発光素子３＿１〜３＿Ｎそれぞれのオン（点灯）、オフ（消灯）を制御することで、ハイビームの配向を変化させる。あるいは点灯回路２０Ｒは、高い周波数で発光素子３に流れる電流ＩＬＡＭＰをＰＷＭ（パルス幅変調）制御することで、実効的な輝度を調節する。
【０００７】
点灯回路２０Ｒは、昇降圧コンバータ２２、バイパススイッチ回路２４、配光コントローラ２６を備える。昇降圧コンバータ２２は、目標値ＩＲＥＦに安定化された出力電流ＩＬＡＭＰを生成して光源２に供給する定電流コンバータである。
【０００８】
バイパススイッチ回路２４は、複数の発光素子３＿１〜３＿Ｎに対応する複数のバイパススイッチ２８＿１〜２８＿Ｎを備える。各バイパススイッチ２８＿ｉは、対応する発光素子３と並列に接続される。あるバイパススイッチ２８＿ｉがオフのとき、駆動電流ＩＬＡＭＰは発光素子３＿ｉに流れて点灯状態となり、バイパススイッチ２８＿ｉがオンのとき、駆動電流ＩＬＡＭＰはバイパススイッチ２８＿ｉに流れるため、発光素子３＿ｉは消灯状態となる。
【０００９】
配光コントローラ２６は、配光パターンにもとづいて、複数のバイパススイッチ２８＿１〜２８＿Ｎのオン、オフを制御する。さらに配光コントローラ２６は、複数のバイパススイッチ２８＿１〜２８＿ＮそれぞれをＰＷＭ制御することにより、複数の発光素子３＿１〜３＿ＮをＰＷＭ調光する。
【００１０】
複数の発光素子３＿１〜３＿Ｎのうち、駆動電流ＩＬＡＭＰが流れている個数をＭ個（０≦Ｍ≦Ｎ）とすると光源２の両端間の電圧、すなわち昇降圧コンバータ２２の出力電圧ＶＯＵＴは、Ｍ×ＶＦとなる。ここでは理解の容易化のため、発光素子３の順方向電圧ＶＦが均一であるものとする。したがって、昇降圧コンバータ２２の出力電圧ＶＯＵＴは、複数のバイパススイッチ２８＿１〜２８＿Ｎのオン、オフの組み合わせによって時々刻々と変化する。
【００１１】
なお上述のように、昇降圧コンバータ２２は一定の駆動電流ＩＬＡＭＰを生成する定電流源とみなすことができ、昇降圧コンバータ２２が出力電圧ＶＯＵＴを能動的に変化させているのではなく、光源２とバイパススイッチ回路２４の合成インピーダンス、言い換えれば昇降圧コンバータ２２の負荷インピーダンスが動的に変化した結果、出力電圧ＶＯＵＴがそれに追従して変化していることに留意されたい。
【００１２】
図１（ｂ）を参照する。点灯回路２０Ｓは、図１（ａ）の昇降圧コンバータ２２に代えて、直列に接続された昇圧コンバータ３０および降圧コンバータ３２を備える。ＶＦ＝５Ｖ、Ｎ＝１２個とすると、光源２の両端間電圧は０〜６０Ｖの間でダイナミックに変化する。昇圧コンバータ３０は定電圧コンバータであり、その出力である直流電圧ＶＤＣを光源２の両端間電圧の最大値６０Ｖよりも高い電圧レベルに安定化する。降圧コンバータ３２は、図１（ａ）の昇降圧コンバータ２２と同様に定電流出力を有し、光源２の電流ＩＬＡＭＰを所定の目標値に安定化する。
【先行技術文献】
【特許文献】
【００１３】
【特許文献１】特開２０１５−１５３６５７号公報
【発明の概要】
【発明が解決しようとする課題】
【００１４】
本発明者らは、図１（ｂ）の点灯回路２０Ｓについて検討した結果、以下の課題を認識するに至った。バイパススイッチ回路２４によるＰＷＭ調光の周波数は数百Ｈｚであるため、降圧コンバータ３２の負荷インピーダンスも数百Ｈｚで変化する。このような高速応答性を実現するために、降圧コンバータ３２にヒステリシス制御（Bang-Bang制御）を導入する必要がある。図２は、ヒステリシス制御の降圧コンバータ３２の回路図である。
【００１５】
降圧コンバータ３２は、出力回路４０およびヒステリシスコントローラ５０を備える。出力回路４０は、入力キャパシタＣ１、スイッチングトランジスタＭ１、整流ダイオードＤ１、インダクタＬ１および電流センス抵抗ＲＣＳを含む。
【００１６】
ヒステリシス制御では、制御対象である駆動電流ＩＬＡＭＰの目標値ＩＲＥＦの近傍に上限電流ＩＵＰＰＥＲと下限電流ＩＢＯＴＴＯＭが規定される。そして駆動電流ＩＬＡＭＰ（コイル電流ＩＬ）が上限電流ＩＵＰＰＥＲに達するとスイッチングトランジスタをターンオフし、駆動電流ＩＬＡＭＰが下限電流ＩＢＯＴＴＯＭまで低下すると、スイッチングトランジスタをターンオンする動作を繰り返す。
【００１７】
ヒステリシスコントローラ５０は、電流検出回路５２、ヒステリシスコンパレータ５４、ドライバ５６を含む。電流センス抵抗ＲＣＳは、駆動電流ＩＬＡＭＰの経路上に設けられており、その両端間には駆動電流ＩＬＡＭＰに比例した電圧降下が発生する。電流検出回路５２は、電流センス抵抗ＲＣＳの電圧降下に応じた電流検出信号ＶＣＳを生成する。ヒステリシスコンパレータ５４は、電流検出信号ＶＣＳを、上限電流ＩＵＰＰＥＲに対応する上側しきい値ＶＴＨＨおよび下限電流ＩＢＯＴＴＯＭに対応する下側しきい値ＶＴＨＬと比較し、比較結果に応じた制御パルスＳＣＮＴを生成する。ドライバ５６は、制御パルスＳＣＮＴに応じてスイッチングトランジスタＭ１を駆動する。
【００１８】
図３は、図２の降圧コンバータ３２の動作波形図である。制御パルスＳＣＮＴがオンレベル（たとえばハイレベル）の区間、スイッチングトランジスタＭ１はオンであり、オフレベル（たとえばローレベル）の区間、スイッチングトランジスタＭ１はオフである。スイッチングトランジスタＭ１がオンのとき、インダクタＬ１の両端間電圧はＶＩＮ−ＶＯＵＴとなる。したがってインダクタＬ１に流れるコイル電流ＩＬ（つまり駆動電流ＩＬＡＭＰ）は、（ＶＩＮ−ＶＯＵＴ）／Ｌ１の傾きで増大する。Ｌ１はインダクタＬ１のインダクタンスである。スイッチングトランジスタＭ１がオフのとき、インダクタＬ１の両端間電圧は−ＶＯＵＴとなる。したがってコイル電流ＩＬ（つまり駆動電流ＩＬＡＭＰ）は、−ＶＯＵＴ／Ｌ１の傾きで減少する。
【００１９】
スイッチングトランジスタＭ１のオン時間ＴＯＮ、オフ時間ＴＯＦＦは式（１）、（２）で与えられる。
ＴＯＮ＝ΔＩ／｛（ＶＩＮ−ＶＯＵＴ）／Ｌ１｝    …（１）
ＴＯＦＦ＝ΔＩ／（ＶＯＵＴ／Ｌ１）    …（２）
ΔＩは、コイル電流ＩＬのヒステリシス幅（リップル幅）、すなわちピーク値ＩＵＰＰＥＲとボトム値ＩＢＯＴＴＯＭの差分であり、以下の式で表されるように上側しきい値信号ＶＴＨＨと下側しきい値信号ＶＴＨＬの差分ΔＶに比例する。
ΔＩ＝ΔＶ／ＲＣＳ
【００２０】
図１（ｂ）の車両用灯具１Ｓでは、降圧コンバータ３２の入力電圧ＶＩＮ（ＶＤＣ）は一定に保たれるが、バイパススイッチ回路２４のＰＷＭ制御に応じて出力電圧ＶＯＵＴがダイナミックに変動する。出力電圧ＶＯＵＴが変動すると、スイッチングトランジスタＭ１のスイッチング周期ＴＯＮ＋ＴＯＦＦ、言い換えればスイッチング周波数ｆＳＷが変動することとなり、電磁ノイズの対策が難しくなる。
【００２１】
本発明は係る課題に鑑みてなされたものであり、そのある態様の例示的な目的のひとつは、スイッチングコンバータの周波数変動を抑制可能な車両用灯具の提供にある。
【課題を解決するための手段】
【００２２】
本発明のある態様は、直列に接続される複数の発光素子を含む光源を駆動する点灯回路に関する。点灯回路は、バイパススイッチ回路、昇圧コンバータ、降圧コンバータ、電圧調節回路を備える。バイパススイッチ回路は、複数のバイパススイッチを含み、各バイパススイッチは、複数の発光素子の対応するひとつと並列に接続されている。昇圧コンバータは、電源電圧を昇圧して、可変の目標電圧に安定化された直流電圧を生成する。降圧コンバータは、直流電圧を受け、目標電流に安定化された駆動電流を光源に供給する。降圧コンバータはヒステリシス制御方式のヒステリシスコントローラを含み、当該ヒステリシスコントローラは、駆動電流を、目標電流の近傍に規定されるピーク値およびボトム値の間に安定化させ、かつ降圧コンバータのスイッチング周波数が一定値に近づくように、ピーク値とボトム値の差を変化させる。電圧調節回路は、昇圧コンバータの目標電圧を、降圧コンバータの出力電圧に応じて動的に変化させる。
【００２３】
この態様によると、ヒステリシス制御を用いることにより、降圧コンバータの出力電圧を、高速な負荷変動に追従させることができる。またピーク値とボトム値の差分を制御することによりスイッチング周波数を安定化できるため、ノイズスペックをクリアできる。
【００２４】
ここでもし、降圧コンバータの入力電圧を一定に保った状態で、スイッチング周波数の安定化のみを行うと、降圧コンバータの入力電圧と出力電圧の差分が大きい状況が生じうる。この場合に、コイル電流ひいては駆動電流の変動幅（リップル幅）を小さくするためには、インダクタ（コイル）に、インダクタンスの大きい、したがってサイズの大きい部品を選定する必要が生ずる。この問題に関連して、本態様によれば、降圧コンバータの入出力電圧の差を抑制できるため、同じインダクタンス値に対するリップル幅を小さくでき、したがって小さいインダクタを選定できる。
【００２５】
電圧調節回路は、昇圧コンバータの目標電圧と降圧コンバータの出力電圧の差分が所定値を超えないように、あるいは所定値に近づくように、目標電圧を変化させてもよい。
これにより、降圧コンバータのインダクタの両端間電圧を所定値に保つことができ、その所定値を小さくすることで、インダクタのサイズを小さくできる。
【００２６】
電圧調節回路は、降圧コンバータの出力電圧の上昇時に下降時よりも速く目標電圧を変化させてもよい。これにより、降圧コンバータの制御が不安定になるのを防止できる。
【００２７】
降圧コンバータの出力電圧の上昇時に、目標電圧は、バイパススイッチ回路の制御周期より短い時間で変化してもよい。これにより、降圧コンバータの出力電圧（光源の両端間電圧）が不足し、光源の輝度が低下するのを抑制できる。
降圧コンバータの出力電圧の上昇時に、目標電圧は、バイパススイッチ回路の制御周期の１／２より短い時間で変化してもよい。
【００２８】
降圧コンバータの出力電圧の下降時に、目標電圧は、バイパススイッチ回路の制御周期より長い時間で変化してもよい。これにより降圧コンバータの発振を抑制できる。
【００２９】
降圧コンバータの出力電圧の下降時に、目標電圧は、バイパススイッチ回路の制御周期の３倍より長い時間で変化してもよい。
【００３０】
電圧調節回路は、降圧コンバータの出力電圧に応じた出力検出電圧を受けるピークホールド回路を含み、目標電圧は、ピークホールド回路の出力電圧に応じていてもよい。これにより、きわめて簡単なアナログ回路で、目標電圧を制御できる。
【００３１】
電圧調節回路は、降圧コンバータの出力電圧に応じた出力検出電圧をアノードに受けるダイオードと、ダイオードのカソードと接地の間に設けられた第１抵抗と、一端が接地されたキャパシタと、キャパシタの他端とダイオードのカソードの間に設けられた第２抵抗と、を含み、キャパシタの電圧に応じて目標電圧が設定されてもよい。
【００３２】
電圧調節回路は、降圧コンバータの出力電圧に応じた出力検出電圧をデジタル値に変換するＤ／Ａコンバータと、デジタル値のピークを示すピーク検出信号を生成するピーク検出回路と、ピーク検出信号を受け、上昇方向に速く、下降方向に遅い応答性を有するフィルタと、フィルタの出力信号をアナログ電圧に変換するＤ／Ａコンバータと、を含み、アナログ電圧に応じて目標電圧が設定されてもよい。
【００３３】
点灯回路は、所望の配光パターンに応じて複数のバイパススイッチを制御する配光コントローラをさらに備えてもよい。電圧調節回路は、複数のバイパススイッチのオン、オフ状態から推定される光源の両端間電圧にもとづいて、目標電圧を制御してもよい。光源の両端間電圧の推定値にもとづくフィードフォワード制御により、応答遅延を抑制できる。
【００３４】
点灯回路は、複数の光源を駆動するものであり、複数の光源に対応する複数の降圧コンバータを備えてもよい。電圧調節回路は、複数の降圧コンバータの出力電圧のうち最も高い電圧に応じて目標電圧を変化させてもよい。これにより、複数の降圧コンバータでひとつの昇圧コンバータを共有でき、回路規模を小さくできる。
【００３５】
本発明の別の態様は、車両用灯具に関する。車両用灯具は、直列に接続される複数の発光素子を含む光源と、光源を駆動する上述のいずれかの点灯回路と、を備える。
【００３６】
なお、以上の構成要素の任意の組み合わせや本発明の構成要素や表現を、方法、装置、システムなどの間で相互に置換したものもまた、本発明の態様として有効である。
【発明の効果】
【００３７】
本発明のある態様によれば、スイッチングコンバータの周波数変動を抑制できる。
【図面の簡単な説明】
【００３８】
【図１】図１（ａ）、（ｂ）は、比較技術に係るＡＤＢ機能を有する車両用灯具のブロック図である。
【図２】ヒステリシス制御の降圧コンバータの回路図である。
【図３】図２の降圧コンバータの動作波形図である。
【図４】実施の形態に係る点灯回路を備える車両用灯具のブロック図である。
【図５】点灯回路の具体的な構成例を示す回路図である。
【図６】図６（ａ）、（ｂ）は、周波数安定回路の構成例を示す回路図である。
【図７】点灯回路の基本動作を示す波形図である。
【図８】図４の点灯回路がＰＷＭ調光を行ったときの動作波形図である。
【図９】図９（ａ）、（ｂ）は、点灯回路のさらなる利点を説明する図である。
【図１０】図１０（ａ）、（ｂ）は、電圧調節回路の構成例を示す回路図である。
【図１１】図１１（ａ）、（ｂ）は、配光パターンを変化させたときの点灯回路の動作波形図である。
【図１２】変形例に係る電圧調節回路のブロック図である。
【図１３】図１３（ａ）、（ｂ）は、第２変形例に係る点灯回路のブロック図である。
【発明を実施するための形態】
【００３９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００４０】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００４１】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００４２】
本明細書において参照する波形図やタイムチャートの縦軸および横軸は、理解を容易とするために適宜拡大、縮小したものであり、また示される各波形も、理解の容易のために簡略化され、あるいは誇張もしくは強調されている。
【００４３】
また本明細書において、電圧信号、電流信号などの電気信号、あるいは抵抗、キャパシタなどの回路素子に付された符号は、必要に応じてそれぞれの電圧値、電流値、あるいは抵抗値、容量値を表すものとする。
【００４４】
図４は、実施の形態に係る点灯回路４００を備える車両用灯具３００のブロック図である。車両用灯具３００は、バッテリ２０２および車両ＥＣＵ（Electronic Control Unit）２０４とともに灯具システム２００を構成する。バッテリ２０２は、１２Ｖあるいは２４Ｖのバッテリ電圧（電源電圧）ＶＢＡＴを生成する。点灯回路４００は、バッテリ電圧ＶＢＡＴを電源として受け、光源３１０を点灯する。点灯回路４００と車両ＥＣＵ２０４は、ＣＡＮ（Controller Area Network）やＬＩＮ（Local Interconnect Network）などのバス２０６を介して接続されている。車両用灯具３００は、ＡＤＢ機能を有しており、車両ＥＣＵ２０４からの情報あるいは指令値にもとづいて配光パターンを動的に変化させる。
【００４５】
車両用灯具３００は、光源３１０および点灯回路４００を備える。光源３１０は、直列に接続される複数（Ｎ個）の発光素子３１２＿１〜３１２＿Ｎを含む。発光素子３１２は、ＬＥＤ（発光ダイオード）やＬＤ（レーザダイオード）、有機ＥＬ（Electro Luminescence）などの、駆動電流ＩＬＡＭＰに応じた輝度で発光する半導体発光デバイスである。発光素子３１２の個数Ｎは、配光パターンの制御の分解能に対応しており、たとえばＮ＝４、８、１２、２４などが例示されるがこの限りでない。
【００４６】
点灯回路４００はワイヤハーネス３２０を介して光源３１０と接続されている。点灯回路４００は、昇圧コンバータ４１０、降圧コンバータ４３０、バイパススイッチ回路４５０、電圧調節回路４６０、配光コントローラ４７０を備える。
【００４７】
バイパススイッチ回路４５０は、複数のバイパススイッチ４５２＿１〜４５２＿Ｎを含み、ｉ番目のバイパススイッチ４５２＿ｉは、複数の発光素子の対応するひとつ３１２＿ｉと並列に接続されている。図４ではバイパススイッチ４５２の個数と発光素子３１２の個数が同じであるがその限りでない。
【００４８】
配光コントローラ４７０は、車両ＥＣＵ２０４からの情報や制御指令にもとづく所望の配光パターンが得られるように、バイパススイッチ回路４５０の複数のバイパススイッチ４５２＿１〜４５２＿Ｎを制御する。発光素子３１２の順方向電圧ＶＦを５Ｖ、Ｎ＝１２とすると、出力電圧ＶＯＵＴは０〜６０Ｖの範囲で変動しうる。
【００４９】
昇圧コンバータ４１０は、設定（ＡＤＪ）端子を有し、電源電圧ＶＢＡＴを昇圧して、ＡＤＪ端子の電圧ＶＡＤＪに応じた目標電圧ＶＤＣ（ＲＥＦ）に安定化された直流電圧ＶＤＣを生成する。もっとも簡易には昇圧コンバータ４１０は、直流電圧ＶＤＣをＡＤＪ端子の電圧ＶＡＤＪに比例した目標レベルＶＤＣ（ＲＥＦ）に安定化する。
【００５０】
一例として昇圧コンバータ４１０の出力電圧ＶＤＣは、抵抗Ｒ３１，Ｒ３２によって分圧され、フィードバックされる。昇圧コンバータ４１０は、分圧されたフィードバック信号ＶＦＢがＡＤＪ端子の電圧ＶＡＤＪと一致するように、スイッチングのデューティ比が調節される。
【００５１】
定常状態において、
Ｋ１＝ＶＡＤＪ／ＶＯＵＴ
Ｋ２＝ＶＤＣ／ＶＡＤＪ
が成り立つとき、
ＶＤＣ＝Ｋ１×Ｋ２×ＶＯＵＴ
となる。Ｋ１×Ｋ２を制御ゲインＧと称する。Ｇ＝Ｋ１×Ｋ２＞１とすれば、ＶＤＣをＶＯＵＴより高い電圧レベルに維持でき、降圧コンバータ４３０の入出力の電位差ΔＶを、ＶＤＣ−ＶＯＵＴ＝（Ｋ１×Ｋ２−１）×ＶＯＵＴに維持することができる。なおここでの電位差ΔＶは、出力電圧ＶＯＵＴの最大値と入力電圧の差分をいう。ＶＯＵＴの最大値が６０Ｖ、Ｋ１×Ｋ２＝１．１とすれば、入出力の電位差ΔＶを、０．１×６０＝６Ｖより小さくできる。電位差ΔＶは、１〜１０Ｖ程度とすることが望ましい。
【００５２】
降圧コンバータ４３０は、直流電圧ＶＤＣを受け、目標電流ＩＲＥＦに安定化された駆動電流ＩＬＡＭＰを光源３１０に供給する。後述のように降圧コンバータ４３０は、ヒステリシス制御方式のヒステリシスコントローラ４８０を含む。ヒステリシスコントローラ４８０は、駆動電流ＩＬＡＭＰを、目標電流ＩＲＥＦの近傍に規定されるピーク値ＩＵＰＰＥＲおよびボトム値ＩＢＯＴＴＯＭの間に安定化させる。さらにヒステリシスコントローラ４８０は、降圧コンバータ４３０のスイッチング周波数ｆＳＷが一定値に近づくように、ピーク値ＩＵＰＰＥＲとボトム値ＩＢＯＴＴＯＭの差ΔＩを変化させる。
【００５３】
電圧調節回路４６０は、昇圧コンバータ４１０のＡＤＪ端子の電圧ＶＡＤＪを、降圧コンバータ４３０の出力電圧ＶＯＵＴ、すなわち光源３１０の両端間電圧に応じて動的に変化させる。
【００５４】
好ましくは電圧調節回路４６０は、昇圧コンバータ４１０の出力電圧ＶＤＣの目標電圧ＶＤＣ（ＲＥＦ）と降圧コンバータ４３０の出力電圧ＶＯＵＴの差分、言い換えれば降圧コンバータ４３０の入力電圧と出力電圧の差分が所定値を超えないように、あるいは所定値に近づくように、ＡＤＪ端子の電圧ＶＡＤＪを変化させる。たとえば電圧調節回路４６０は、ＡＤＪ端子の電圧ＶＡＤＪを降圧コンバータ４３０の出力電圧ＶＯＵＴのピークに追従させてもよい。たとえば電圧調節回路４６０は、抵抗Ｒ４１，Ｒ４２によって分圧された出力電圧（出力検出電圧）ＶＯＵＴＳのピークにもとづいて、電圧ＶＡＤＪを生成してもよい。
【００５５】
図５は、点灯回路４００の具体的な構成例を示す回路図である。昇圧コンバータ４１０は、出力回路４１２とコントローラ４１４を備える。出力回路４１２は、インダクタＬ２、スイッチングトランジスタＭ２、ダイオードＤ２、キャパシタＣ２を含む。コントローラ４１４の基準（ＲＥＦ）ピンには、ＡＤＪ端子の電圧ＶＡＪＤが入力される。コントローラ４１４のフィードバック（ＦＢ）ピンには、昇圧コンバータ４１０の出力電圧ＶＤＣに応じたフィードバック電圧ＶＦＢがフィードバックされている。コントローラ４１４は、フィードバック電圧ＶＦＢが基準電圧ＶＡＤＪと一致するように、スイッチングトランジスタＭ２を駆動する。コントローラ４１４は、市販のコントロールＩＣを用いればよく、その構成は特に限定されない。
【００５６】
降圧コンバータ４３０は、出力回路４３２およびヒステリシスコントローラ４８０を備える。出力回路４３２の構成は図１のそれと同様である。ヒステリシスコントローラ４８０は、電流検出信号ＶＣＳが、駆動電流ＩＬＡＭＰの上限値ＩＵＰＰＥＲに応じた上側しきい値ＶＴＨＨに達するとスイッチングトランジスタＭ１をターンオフし、電流検出信号ＶＣＳが、駆動電流ＩＬＡＭＰの下限値ＩＢＯＴＴＯＭに応じた下側しきい値ＶＴＨＬに達するとスイッチングトランジスタＭ１をターンオンする動作を繰り返す。
【００５７】
上述のように、ヒステリシスコントローラ４８０は、上側しきい値ＶＴＨＨと下側しきい値ＶＴＨＬの差分を調節することにより、スイッチング周波数ｆＳＷを安定化する。ヒステリシスコントローラ４８０は、電圧源４８２、コンパレータ４８４、ドライバ４８６、周波数安定回路４８８を備える。電圧源４８２は、上側しきい値ＶＴＨＨおよび下側しきい値ＶＴＨＬを生成する可変電圧源である。上側しきい値ＶＴＨＨおよび下側しきい値ＶＴＨＬの平均値は、駆動電流ＩＬＡＭＰの目標値ＩＲＥＦに応じている。
【００５８】
コンパレータ４８４は、その出力である制御パルスＳＣＮＴがオンレベルであるとき（スイッチングトランジスタＭ１のオン期間）、電流検出信号ＶＣＳを上側しきい値ＶＴＨＨと比較し、制御パルスＳＣＮＴがオフレベルであるとき（スイッチングトランジスタＭ１のオフ期間）、電流検出信号ＶＣＳを下側しきい値ＶＴＨＬと比較する。ドライバ４８６は、制御パルスＳＣＮＴに応じてスイッチングトランジスタＭ１を駆動する。
【００５９】
周波数安定回路４８８は、スイッチングトランジスタＭ１のスイッチング周波数ｆＳＷが目標周波数ｆＲＥＦと一致するように、上側しきい値ＶＴＨＨと下側しきい値ＶＴＨＬの電位差（ヒステリシス幅）ΔＶＨＹＳを調節する。具体的にはスイッチング周波数ｆＳＷが目標周波数ｆＲＥＦより高くなると、ヒステリシス幅ΔＶＨＹＳを大きくしてスイッチング周波数ｆＳＷを低下させ、スイッチング周波数ｆＳＷが目標周波数ｆＲＥＦより低くなると、ヒステリシス幅ΔＶＨＹＳを小さくしてスイッチング周波数ｆＳＷを上昇させる。
【００６０】
図６（ａ）、（ｂ）は、周波数安定回路４８８の構成例を示す回路図である。周波数安定回路４８８は、周波数検出回路４９０、エラーアンプ４９２を備える。周波数検出回路４９０は、制御パルスＳＣＮＴあるいはそれと同じ周波数を有する信号を受け、スイッチング周波数ｆＳＷを示す周波数検出信号ＶＦＲＥＱを生成する。エラーアンプ４９２は、周波数検出信号ＶＦＲＥＱとスイッチング周波数の目標値を示す基準信号ＶＦＲＥＱ（ＲＥＦ）の誤差を増幅する。
【００６１】
電圧源４８２は、誤差信号ＶＥＲＲに応じて、しきい値ＶＴＨＨ，ＶＴＨＬを生成する。たとえば電圧源４８２は、抵抗ＲＨ，ＲＬ及び電流源４９４を含む。電流源４９４は、誤差信号ＶＥＲＲに応じた電流ＩＥＲＲを出力する。抵抗ＲＨの一端には、アナログ電圧ＶＡＤＩＭが与えられており、抵抗ＲＨの他端には、ＶＴＨＨ＝ＶＡＤＩＭ−ＩＥＲＲ×ＲＨが発生する。抵抗ＲＬの一端は接地されており、抵抗ＲＬの他端には、ＶＴＨＬ＝ＩＥＲＲ×ＲＬが発生する。
【００６２】
ＲＨ＝ＲＬ＝ＲとすればＶＴＨＨとＶＴＨＬの平均値はＶＡＤＩＭ／２なる。したがって、電圧ＶＡＤＩＭに応じて、コイル電流ＩＬの平均値、すなわち光源３１０の輝度を調光できる。またＶＴＨＨとＶＴＨＬの差（ヒステリシス幅ΔＶＨＹＳ）は、ΔＶＨＹＳ＝２×ＩＥＲＲ×Ｒとなる。
【００６３】
図６（ｂ）には、電圧源４８２の具体的な構成例が示される。電流源４９４は、オペアンプＯＡ５１、トランジスタＭ５１および抵抗ＲＬを含む。この構成では、ＶＴＨＬ＝ＶＥＲＲであり、ＩＥＲＲ＝ＶＥＲＲ／ＲＬとなる。
【００６４】
当業者によれば、図６（ａ）、（ｂ）に示した例のほか、同等の機能を有する周波数安定回路４８８や電圧源４８２を設計することが可能であり、それらも本発明に含まれる。
【００６５】
以上が点灯回路４００の構成である。続いてその動作を説明する。図７は、点灯回路４００の基本動作を示す波形図である。説明の簡潔化および理解の容易化のため、バイパススイッチ回路４５０においてＰＷＭ調光を行わずに、オン状態のバイパススイッチ４５２の個数を時間とともに減少させたときの動作が示される。このとき時間とともに出力電圧ＶＯＵＴが上昇していく。出力電圧ＶＯＵＴの上昇に応じて、電圧調節回路４６０はＡＤＪ端子の電圧ＶＡＤＪを上昇させる。その結果、降圧コンバータ４３０の入力電圧ＶＩＮ（ＶＤＣ）は、出力電圧ＶＯＵＴに追従して上昇する。ここでは説明の容易化のために、入出力電圧の差ΔＶが一定に保たれているとする。
【００６６】
このときの降圧コンバータ４３０の動作に着目する。入出力の電位差ΔＶが実質的に一定とすると、コイル電流ＩＬ（ランプ電流ＩＬＡＭＰ）の上りスロープの傾き（ＶＩＮ−ＶＯＵＴ）／Ｌ１は実質的に一定である。一方、下りスロープの傾き−ＶＯＵＴ／Ｌ１は、出力電圧ＶＯＵＴが上昇するほど急峻となっていく。降圧コンバータ４３０は、スイッチング周波数ｆＳＷ（周期１／ｆＳＷ）が一定となるように、上限電流ＩＵＰＰＥＲと下限電流ＩＢＯＴＴＯＭの差ΔＩＨＹＳを変化させる。
【００６７】
具体的には、降圧コンバータ４３０の周波数安定回路４８８はスイッチング周波数ｆＳＷが一定となるように、上側しきい値ＶＴＨＨと下側しきい値ＶＴＨＬの差ΔＶＨＹＳを調節する。ヒステリシス幅ΔＶＨＹＳは出力電圧ＶＯＵＴが高いほど大きくなる。
【００６８】
以上が点灯回路４００の基本動作である。図８は、図４の点灯回路４００がＰＷＭ調光を行ったときの動作波形図である。配光パターンが一定であるとき、バイパススイッチ回路４５０の各バイパススイッチ４５２は同じパターンで繰り返し制御され、それによって降圧コンバータ４３０の出力電圧ＶＯＵＴは、ＰＷＭ周期ＴＰＷＭで同じ波形を繰り返す。ＰＷＭ周期ＴＰＷＭは数ｍｓ、たとえば３〜５ｍｓ程度である。
【００６９】
この例ではＰＷＭ周期ＴＰＷＭにおいて、出力電圧ＶＯＵＴは１５〜４０Ｖの範囲で変動している。電圧調節回路４６０は、出力電圧ＶＯＵＴのピークである４０Ｖに応じた電圧ＶＡＤＪを生成し、ＡＤＪ端子に供給する。制御ゲインＧ＝１．１とするとき、昇圧コンバータ４１０の出力電圧ＶＤＣは４４Ｖに安定化され、降圧コンバータ４３０の入出力の電位差ΔＶは４Ｖとなる。
【００７０】
以上が点灯回路４００の動作である。続いてその利点を説明する。
【００７１】
この点灯回路４００によれば、降圧コンバータ４３０にヒステリシス制御を用いることにより、降圧コンバータ４３０の出力電圧ＶＯＵＴを、高速な負荷変動に追従させることができる。また駆動電流ＩＬＡＭＰのピーク値ＩＵＰＰＥＲとボトム値ＩＢＯＴＴＯＭの差分ΔＩＨＹＳを調節することにより、スイッチング周波数ｆＳＷを安定化できるため、ノイズスペックをクリアできる。
【００７２】
図９（ａ）、（ｂ）は、点灯回路４００のさらなる利点を説明する図である。図９（ａ）は、図４の点灯回路４００のコイル電流ＩＬを、図９（ｂ）は、昇圧コンバータ３０の出力ＶＤＣを一定とした場合のコイル電流ＩＬを示す。たとえば図９（ａ）では、ＶＯＵＴ＝２０Ｖ、ＶＤＣ＝２２Ｖであり、図９（ａ）では、ＶＯＵＴ＝２０Ｖ、ＶＤＣ＝６０Ｖである。図９（ａ）と（ｂ）を比較すると、下りスロープの傾きは等しいが、上りスロープの傾きが図９（ｂ）の方が大きくなる。このとき、降圧コンバータのインダクタンス値Ｌ１を同じとし、同じスイッチング周波数ｆＳＷを実現しようとすれば、図９（ｂ）の方が、コイル電流ＩＬのリップル幅が大きくなる。特に周波数安定化制御を導入する場合、出力電圧ＶＯＵＴの上昇に応じてリップル幅はさらに大きくなる。したがって直流電圧ＶＤＣ＝６０Ｖを保ったまま、出力電圧ＶＯＵＴの変動範囲において、リップル幅を許容範囲に収めるためには、インダクタンス値Ｌ１を著しく大きくしなければならず、インダクタＬ１として、高価で大きな部品を選定しなければならない。
【００７３】
この点において、点灯回路４００によれば、電圧調節回路４６０によって降圧コンバータ４３０の入出力電位差を抑制できるため、降圧コンバータ４３０に周波数安定化制御を導入した場合においても、小さなインダクタンス値Ｌ１を選定することが可能となり、小型化を実現できる。また一般にインダクタンス値の小さい部品の方が安価であるため、装置の低コスト化が実現される。
【００７４】
特に電圧調節回路４６０によって、昇圧コンバータ４１０の目標電圧ＶＤＣ（ＲＥＦ）と降圧コンバータ４３０の出力電圧ＶＯＵＴの差分ΔＶが所定値を超えないように、あるいは所定値に近づくように、ＡＤＪ端子の電圧ＶＡＤＪを変化させることとしており、所定値を小さくすることで、インダクタのサイズを小さくできる。
【００７５】
続いて、配光パターンを動的に変化させるときの制御を説明する。配光パターンが一定である場合、出力電圧ＶＯＵＴはＰＷＭ周期内で変化するものの、そのピークは一定であった。これに対して配光パターンを変化させると、出力電圧ＶＯＵＴのピーク値も変動する。
【００７６】
電圧調節回路４６０は、降圧コンバータ４３０の出力電圧ＶＯＵＴの上昇時に、下降時よりも速くＡＤＪ端子の電圧ＶＡＤＪを変化させる。ここでの上昇、下降は、ＰＷＭ周期内の短い時間スケールではなく、ＰＷＭ周期より長い時間スケールである。より詳しくは、降圧コンバータ４３０の出力電圧ＶＯＵＴの上昇時にＡＤＪ端子の電圧ＶＡＤＪは、バイパススイッチ回路４５０の制御周期（ＰＷＭ周期）ＴＰＷＭより短い時間で変化することが好ましく、たとえばＰＷＭ周期ＴＰＷＭの１／２より短い時間スケールで、ＡＤＪ端子の電圧ＶＡＤＪを出力電圧ＶＯＵＴに追従させる。これにより、出力電圧ＶＯＵＴが不足するのを抑制し、光源３１０の輝度低下を抑制できる。
【００７７】
反対に降圧コンバータ４３０の出力電圧ＶＯＵＴの下降時に、ＡＤＪ端子の電圧ＶＡＤＪは、バイパススイッチ回路４５０の制御周期ＴＰＷＭより長い時間で変化することが好ましく、たとえば、制御周期ＴＰＷＭの３倍より長い時間スケール、もしくは５倍より長い時間スケールで、ＡＤＪ端子の電圧ＶＡＤＪを出力電圧ＶＯＵＴに追従させる。
【００７８】
図１０（ａ）、（ｂ）は、電圧調節回路４６０の構成例を示す回路図である。図１０（ａ）の電圧調節回路４６０ａは、ダイオードＤ２１、第１抵抗Ｒ２１、第２抵抗Ｒ２２、キャパシタＣ２１を含む。電圧調節回路４６０ａはピークホールド回路４６１と把握することができ、ＡＤＪ端子の電圧ＶＡＤＪは、ピークホールド回路４６１の出力電圧ＶＣ２１に応じている。
【００７９】
図１０（ｂ）の電圧調節回路４６０ｂはデジタル回路で構成される。Ａ／Ｄコンバータ４６２は、出力検出電圧ＶＯＵＴＳをデジタル値Ｓ４１に変換する。ピーク検出回路４６３は、デジタル値Ｓ４１のピークを示すピーク検出信号Ｓ４２を生成する。フィルタ４６４は、ピーク検出信号Ｓ４２を受け、上昇方向に速く、下降方向に遅い応答性を有する。Ｄ／Ａコンバータ４６５は、フィルタ４６４の出力信号Ｓ４３をアナログ電圧ＶＡＤＪに変換する。
【００８０】
図１１（ａ）、（ｂ）は、配光パターンを変化させたときの点灯回路４００の動作波形図である。図１１（ａ）には暗い配光パターンＰＡＴ１から明るい配光パターンＰＡＴ２に変化させたときの動作を示す。このとき、出力電圧ＶＯＵＴの平均値およびピーク値は上昇し、またその波形も変化する。ＡＤＪ端子の電圧ＶＡＤＪは、ＰＷＭ周期ＴＰＷＭより短い時間スケール（好ましくはＴＰＷＭ／２より短い時間スケール）で、速やかに出力電圧ＶＯＵＴのピーク値の上昇に追従する。これにより、降圧コンバータ４３０の入力電圧ＶＤＣの不足による光源３１０の輝度低下を防止できる。
【００８１】
図１１（ｂ）には明るい配光パターンＰＡＴ２から暗い配光パターンＰＡＴ１に変化させたときの動作を示す。このとき、出力電圧ＶＯＵＴの平均値およびピーク値は低下し、またその波形も変化する。ＡＤＪ端子の電圧ＶＡＤＪは、ＰＷＭ周期ＴＰＷＭの数倍の長い時間スケール（好ましくは３×ＴＰＷＭより長い時間スケール）で、緩やかに出力電圧ＶＯＵＴのピーク値の上昇に追従する。これにより、昇圧コンバータ４１０および降圧コンバータ４３０を含む系が発振したり、不安定になるのを防止できる。
【００８２】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【００８３】
（第１変形例）
実施の形態では出力電圧ＶＯＵＴにもとづいて、ＡＤＪ端子の電圧ＶＡＤＪを変化させたがその限りでない。配光パターンごとに、複数のバイパススイッチ４５２のスイッチングパターンは既知である。したがってある配光パターンにおける出力電圧ＶＯＵＴの波形は計算により推定することが可能である。
【００８４】
図１２は、変形例に係る電圧調節回路４６０ｃのブロック図である。電圧調節回路４６０ｃは、複数のバイパススイッチ４５２＿１〜４５２＿Ｎのオン、オフ状態のパターンから、１ＰＷＭ周期内の光源３１０の両端間電圧のピーク値、すなわち降圧コンバータ４３０の出力電圧ＶＯＵＴのピーク値を推定し、この推定値にもとづいてＡＤＪ端子の電圧ＶＡＤＪを制御する。たとえば出力電圧推定器４６６は、配光パターンの情報Ｓ５１を受け、この情報Ｓ５１にもとづいて、ＰＷＭ周期内の出力電圧ＶＯＵＴのピーク値Ｓ５２を生成する。たとえば出力電圧推定器４６６の中に、配光パターンとピーク値の関係を示すテーブルを保持しておいてもよい。Ｄ／Ａコンバータ４６７は、ピーク値Ｓ５２をアナログ信号に変換し、ＡＤＪ端子に出力する。出力電圧推定器４６６およびＤ／Ａコンバータ４６７の機能は、配光コントローラ４７０の内部に、あるいは配光コントローラ４７０と共通の灯具ＥＣＵの内部に実装することが可能である。
【００８５】
この変形例によれば、出力電圧ＶＯＵＴを検出することなく、フィードフォワードによって、降圧コンバータ４３０の入力電圧ＶＤＣを適切な電圧レベルに調節できる。
【００８６】
（第２変形例）
図１３（ａ）、（ｂ）は、第２変形例に係る点灯回路４００ｂのブロック図である。点灯回路４００ｂは、複数（ここでは２チャンネルとする）の光源３１０＿１，３１０＿２を駆動する。点灯回路４００ｂは、複数の光源３１０＿１，３１０＿２に対応する複数の降圧コンバータ４３０＿１，４３０＿２を備える。複数の降圧コンバータ４３０＿１，４３０＿２は、昇圧コンバータ４１０の出力電圧ＶＤＣを受ける。電圧調節回路４６０ｂは、複数の降圧コンバータ４３０＿１，４３０＿２の出力電圧ＶＯＵＴ１，ＶＯＵＴ２のうち最も高い電圧に応じて、ＡＤＪ端子の電圧ＶＡＤＪを変化させる。
【００８７】
図１３（ｂ）には、電圧調節回路４６０ｂの構成例が示される。電圧調節回路４６０ｂの構成は図１０（ａ）のそれと同様であり、複数のチャンネルに対応して、複数のダイオードＤ２１がカソードを共通に設けられている。複数のダイオードＤ２１は最大値回路として機能し、それらの共通のカソードには、複数の出力検出電圧ＶＯＵＴＳ１，ＶＯＵＴＳ２のうち、最大のひとつに応じた電圧が発生する。
【符号の説明】
【００８８】
２００…灯具システム、２０２…バッテリ、２０４…車両ＥＣＵ、３００…車両用灯具、３１０…光源、３１２…発光素子、４００…点灯回路、４１０…昇圧コンバータ、４１２…出力回路、４１４…コントローラ、４３０…降圧コンバータ、４８０…ヒステリシスコントローラ、４５０…バイパススイッチ回路、４５２…バイパススイッチ、４６０…電圧調節回路、４６１…ピークホールド回路、４６２…Ａ／Ｄコンバータ、４６３…ピーク検出回路、４６４…フィルタ、４６５…Ｄ／Ａコンバータ、４６６…出力電圧推定器、４６７…Ｄ／Ａコンバータ、４７０…配光コントローラ、４８０…ヒステリシスコントローラ、４８２…電圧源、４８４…コンパレータ、４８６…ドライバ、４８８…周波数安定回路、４９０…周波数検出回路、４９２…エラーアンプ。
【図１】
2018032553.tif 000003
【図２】
2018032553.tif 000004
【図３】
2018032553.tif 000005
【図４】
2018032553.tif 000006
【図５】
2018032553.tif 000007
【図６】
2018032553.tif 000008
【図７】
2018032553.tif 000009
【図８】
2018032553.tif 000010
【図９】
2018032553.tif 000011
【図１０】
2018032553.tif 000012
【図１１】
2018032553.tif 000013
【図１２】
2018032553.tif 000014
【図１３】
2018032553.tif 000015